(57)【特許請求の範囲】
【請求項１】
筐体に設置され扉を施錠するラッチタイプの錠前と、
前記筐体の外部からの操作によって、前記錠前のラッチの先端側に直接作用し解錠する解錠補助装置と、を備え、
前記解錠補助装置は、
前記錠前に取り付けられる筒状体と、
前記筐体の外部からの操作によって、前記筒状体の内部を前記ラッチの動作方向と同じ方向に移動可能な移動部材と、
前記移動部材の先端側に回動可能に取り付けられ、前記ラッチの先端側に作用するアーム部と、
を備え、
前記アーム部は、前記移動部材が前記ラッチの動作前端に位置したときに、回動自在になり、前記移動部材が前記ラッチの動作後方に移動すると前記ラッチの先端側に当接して後方に移動させることを特徴とする施錠解錠装置。
【請求項２】
前記移動部材を外部から操作するワイヤを備えることを特徴とする請求項１に記載の施錠解錠装置。
【請求項３】
ラッチタイプの錠前に取り付けられる解錠補助装置であって、
前記錠前に取り付けられる筒状体と、
筐体の外部からの操作によって、前記筒状体の内部を前記ラッチの動作方向と同じ方向に移動可能な移動部材と、
前記移動部材の先端側に回動可能に取り付けられ、前記ラッチの先端側に作用するアーム部と、
を備え、
前記アーム部は、前記移動部材が前記ラッチの動作前端に位置したときに、回動自在になり、前記移動部材が前記ラッチの動作後方に移動すると前記ラッチの先端側に当接して後方に移動させることを特徴とする解錠補助装置。
【発明の詳細な説明】
【技術分野】
【０００１】
本発明は、施錠解錠装置及び解錠補助装置に係り、例えば、信号制御機の筐体の扉に設けられる施錠解錠装置及び解錠補助装置に関する。
【背景技術】
【０００２】
交差点に設置される信号制御機等の交通機器には、管理者以外のアクセスが不可能とするために、筐体扉に鍵付ラッチ錠が設置されている（例えば特許文献１参照）。一般に、設置されるラッチ錠自体は、シンプルであるものの、その性質上、鍵の管理が慎重になされている。
【先行技術文献】
【特許文献】
【０００３】
【特許文献１】特開２０１５−３５０８８号公報
【発明の概要】
【発明が解決しようとする課題】
【０００４】
ところで、信号制御機等の交通機器における錠前、すなわち、筐体の錠前に関し、交通機器の製品製造時・検査時に次のような課題がある。
（１）各県専用の錠前となっており、適用される鍵の管理が手間である。
（２）新錠前の場合、事前に鍵を借用できないこともあり、鍵を借用できる現地で錠前を交換することもある。
【０００５】
このため、交通機器製品の製造〜検査までの期間、状況によっては出荷まで扉を施錠しないように鍵付きラッチ錠のラッチ部を固定したり、鍵付きラッチ錠や筐体側の受け軸を取り外したりして扉と筐体をテープで固定又は、汎用の錠前に一時的に交換しておき、出荷時に正規の錠前に変更するなどして対応する必要があり、対策の技術が求められていた。
【０００６】
本発明は、このような状況に鑑みなされたものであって、上記課題を解決する技術を提供するものである。
【課題を解決するための手段】
【０００７】
本発明の施錠解錠装置は、筐体に設置され扉を施錠するラッチタイプの錠前と、前記筐体の外部からの操作によって、前記錠前のラッチの先端側に直接作用し解錠する解錠補助装置と、を備え、前記解錠補助装置は、前記錠前に取り付けられる筒状体と、前記筐体の外部からの操作によって、前記筒状体の内部を前記ラッチの動作方向と同じ方向に移動可能な移動部材と、前記移動部材の先端側に回動可能に取り付けられ、前記ラッチの先端側に作用するアーム部と、を備え、前記アーム部は、前記移動部材が前記ラッチの動作前端に位置したときに、回動自在になり、前記移動部材が前記ラッチの動作後方に移動すると前記ラッチの先端側に当接して後方に移動させる。
また、前記移動部材を外部から操作するワイヤを備えてもよい。
本発明は、ラッチタイプの錠前に取り付けられる解錠補助装置であって、前記錠前に取り付けられる筒状体と、筐体の外部からの操作によって、前記筒状体の内部を前記ラッチの動作方向と同じ方向に移動可能な移動部材と、前記移動部材の先端側に回動可能に取り付けられ、前記ラッチの先端側に作用するアーム部と、を備え、前記アーム部は、前記移動部材が前記ラッチの動作前端に位置したときに、回動自在になり、前記移動部材が前記ラッチの動作後方に移動すると前記ラッチの先端側に当接して後方に移動させる。
【発明の効果】
【０００８】
本発明によると、鍵付きラッチタイプの錠前において、鍵を用いずに、解錠補助装置を用いて解錠する技術を提供することができる。
【図面の簡単な説明】
【０００９】
【図１】本実施形態に係る、施錠解錠システムの三面図である。
【図２】本実施形態に係る、ラッチ錠の三面図である。
【図３】本実施形態に係る、図１のＡ−Ａ’断面図である。
【図４】本実施形態に係る、図１のＢ−Ｂ’断面図である。
【図５】本実施形態に係る、台座部材の三面図である。
【図６】本実施形態に係る、移動部材の三面図である。
【図７】本実施形態に係る、固定部材の側面図と正面図である。
【図８】本実施形態に係る、解錠補助装置による解錠動作を説明する図である。
【発明を実施するための形態】
【００１０】
次に、本発明を実施するための形態（以下、単に「実施形態」という）を、図面を参照して具体的に説明する。
【００１１】
図１は、本実施形態に係る施錠解錠システム１０の三面図であり、信号制御機等の扉９９に設置される。図１（ａ）が平面図、図１（ｂ）が正面図、図１（ｃ）が側面図を示している。図２は、ラッチ錠２０の三面図であり、図２（ａ）が平面図、図２（ｂ）が正面図、図２（ｃ）が側面図を示している。図３は、図１のＡ−Ａ’断面図である。図４は、図１のＢ−Ｂ’断面図である。
【００１２】
施錠解錠システム１０は、図２に示す一般的なラッチ錠２０に解錠補助装置５０が取り付けられている。解錠補助装置５０は、ラッチ錠２０が取り付けられる製品、例えば、信号制御機等を製造中において一時的に取り付けられ、扉が閉まった状態でも、外部から操作することで、ラッチ錠２０を解錠する。
【００１３】
ラッチ錠２０は、ボックスタイプの錠本体３０と、扉等に固定する為の取り付け金具４０とを備える。錠本体３０は、錠筐体３１と、ラッチ３２と、シリンダ錠３３とを備える。
【００１４】
取り付け金具４０は、錠本体３０が取り付けられる錠固定面４１と、扉９９に固定される扉固定面４２と、錠固定面４１を扉固定面４２（扉９９）から所定の高さにする脚部４３とを備える。扉固定面４２は、固定部４９によって例えばネジ固定される。また、錠本体３０は、錠固定面４１にネジ３９によって固定される。
【００１５】
シリンダ錠３３とラッチ３２とは連動するもので、シリンダ錠３３の先端に形成されたカギ穴に所定の鍵を挿入し操作することで、ラッチ３２を錠筐体３１の内部側に移動させ、筐体側の受け軸９８（図２（ｃ）、図８に破線にて記載）との係止を解除し、解錠させることができる。
【００１６】
解錠補助装置５０は、補助装置本体筐体となる台座部材６０と、台座部材６０の内部で前後方向（ラッチ移動前後方向）に移動する移動部材７０と、台座部材６０をラッチ錠２０に取り付ける固定部材８０とを備える。台座部材６０は、ラッチ錠２０のネジ３９上に載るように錠本体３０に固定部材８０によって取り付けられている。
【００１７】
図５は、台座部材６０の三面図であり、図５（ａ）が平面図、図５（ｂ）が背面図、図５（ｃ）が正面図を示している。
【００１８】
台座部材６０は、内部が空洞となっている直方体形状の筒状筐体を呈している。前面６２には前方開口部６４が形成されており、また、後面６３には、後方開口部６５が形成されている。前方開口部６４と後方開口部６５とを連通するように内部の空洞（移動空間６９）が形成され、この移動空間６９を移動部材７０が移動する。また、台座部材６０の移動空間６９の内部であって後方開口部６５の近傍に滑車６８が設けられている。前面６２において、前方開口部６４の左右の位置に、固定部材８０の固定に用いられる固定用穴６６が形成されている。
【００１９】
図６は、移動部材７０の三面図であり、図６（ａ）が平面図、図６（ｂ）が正面図、図６（ｃ）が側面図を示している。
【００２０】
移動部材７０は、筐体上面６１の内部空洞を前後方向に移動する直方体の内部移動部材７１と、内部移動部材７１の前方側中央に回動可能に設けられたアーム部７２と、内部移動部材７１の背面に取り付けられたワイヤ７５とを備える。ワイヤ７５は、施錠解錠システム１０が取り付けられる例えば信号制御機の筐体外部まで延出する長さとなっている。なお、筐体上面６１に移動部材７０が収容されると、ワイヤ７５は、滑車６８を介して後方開口部６５から台座部材６０の外部に導出され、最終的に信号制御機の筐体外部まで延びる。
【００２１】
アーム部７２は、側面視で略Ｌ字形状を呈しており、一端側が軸７３により内部移動部材７１に回動可能に形成されている。他端側の先端部７４は、図６（ｃ）で下向きに延びており、解錠補助装置５０を用いてラッチ錠２０を解錠するときにラッチ３２の先端部分に当接する。なお、アーム部７２の形状は、周辺の構造物との干渉が無きように設計される。
【００２２】
図７（ａ）は固定部材８０の側面図、図７（ｂ）は固定部材８０の正面図を示している。固定部材８０は、側面視で略Ｌ字形状を呈しており、図示で垂直に延びる二叉ランス８１と、図示で水平に延びる挿入部８２とを備える。図３や図４に示すように、挿入部８２を扉９９と錠固定面４１の間の空間に挿入し、二叉ランス８１を用いてネジ８３で固定用穴６６に固定することで、解錠補助装置５０をラッチ錠２０に挟み付けるように取り付ける。なお、二叉ランス８１のネジ８３の固定位置を調整することで、さまざまな厚さのラッチ錠２０に対応して固定することができる。
【００２３】
以上の構成の施錠解錠システム１０における解錠補助装置５０を用いたラッチ錠２０の解錠動作を、図８の断面図を参照して説明する。図８（ａ）は、施錠解錠システム１０が取り付けられた扉が施錠された状態を示しており、ラッチ３２が受け軸９８に係止し、施錠された状態である。このとき、解錠補助装置５０の移動部材７０は、前方に移動しており、アーム部７２はフリーで上に跳ね上がったような状態となって、特にラッチ３２には作用していない。
【００２４】
図８（ｂ）は、ワイヤ７５を引いて解錠補助装置５０の移動部材７０を若干後に移動させた状態を示している。アーム部７２の根元部分が前方開口部６４の上辺部分に当たることで、アーム部７２の先端部７４が下方向に向けて回動する。この時点では、先端部７４はまだラッチ３２に当たっていない。
【００２５】
図８（ｃ）は、図８（ｂ）の状態から更にワイヤ７５を引いて移動部材７０を後に移動させた状態を示している。このとき、アーム部７２は、図示で水平状態になり、アーム部７２の根元部分が移動空間６９に収容されている。そして、先端部７４がラッチ３２の近傍まで位置してきている。
【００２６】
図８（ｄ）は、図８（ｃ）の状態から更にワイヤ７５を引いて移動部材７０を後に移動させた状態を示している。このとき、アーム部７２の先端部７４がラッチ３２に当接し直接作用した状態となっている。
【００２７】
図８（ｅ）は、図８（ｄ）の状態から更にワイヤ７５を引いて移動部材７０を完全に後まで移動させた状態を示している。このとき、アーム部７２の先端部７４がラッチ３２を錠本体３０内部に引き込み、受け軸９８との係止状態を解除した状態、即ち、解錠した状態になっている。
【００２８】
このように、解錠補助装置５０を用いることで、本来の鍵に依らず、ラッチ錠２０を解錠させることができる。これによって、信号制御機等のように、鍵の管理・取り扱いが難しい場合であって、製造中や設置直前の状態であっても、扉の施錠解錠を比較的容易に行うことができる。そして、最終納品や設置の際に、解錠補助装置５０を取り外すことで、本来の鍵でのみ施錠解錠が可能となる。
【００２９】
以上、本発明を実施形態をもとに説明した。この実施形態は例示であり、それらの各構成要素の組み合わせにいろいろな変形例が可能なこと、また、そうした変形例も本発明の範囲にあることは当業者に理解されるところである。例えば、アーム部７２の先端部７４をラッチ３２に作用させるために、ワイヤ７５を引くことで行ったが、電動制御により動作させてもよい。また、ワイヤ７５の円滑な方向転換のために滑車６８を設置しているが、滑車６８を省き、後方開口部６５のエッジを丸めることで、ワイヤ７５を引く際の抵抗を低減する構成としてもよい。
【符号の説明】
【００３０】
１０  施錠解錠システム
２０  ラッチ錠
３０  錠本体
３１  錠筐体
３２  ラッチ
３３  シリンダ錠
３９  ネジ
４０  取り付け金具
４１  錠固定面
４２  扉固定面
４３  脚部
４９  固定部
５０  解錠補助装置
６０  台座部材
６１  筐体上面
６２  前面
６３  後面
６４  前方開口部
６５  後方開口部
６６  固定用穴
６８  滑車
６９  移動空間
７０  移動部材
７１  内部移動部材
７２  アーム部
７３  軸
７４  先端部
７５  ワイヤ
８０  固定部材
８１  二叉ランス
８２  挿入部
８３  ネジ
９８  受け軸
９９  扉
【図１】
0006660169.tif 000002
【図２】
0006660169.tif 000003
【図３】
0006660169.tif 000004
【図４】
0006660169.tif 000005
【図５】
0006660169.tif 000006
【図６】
0006660169.tif 000007
【図７】
0006660169.tif 000008
【図８】
0006660169.tif 000009